(57)【要約】      （修正有）【課題】香りを断続的に放出して、嗅覚が鈍らないようすると共に、芳香剤の消耗を抑制する芳香発生装置を提供する。【解決手段】棒状の芳香剤４０を収納する円筒容器１０を有し、該容器は自動車の空調ダクト５０の途中に固定される。円筒容器の中心には回転軸１１が通っており、この軸に４枚の羽根１２が放射状に固定され、軸周りにいくつかの扇状断面の区画が形成さている。これら４つの区画のうち、３つの区画１４ａ、１４ｂ、１４ｃは、バネ材でできた受け金具１５を備えており、その金具にはめ込む形で該棒状芳香剤を収納することができる。残り１つの区画１４ｄは、芳香剤は収納せずに常に空にしておく。【選択図】図２
0003171925.tif 000002
【実用新案登録請求の範囲】
【請求項１】
空調用通風ダクトに固定され、該ダクト内部と連通する連通穴を有する円筒容器と、該円筒容器の中心に軸架された回転軸と、該回転軸から放射状に延び、該容器内を、芳香剤が入るいくつかの区画に分割する複数枚の羽根と、該回転軸を駆動するための駆動／制御部からなる芳香発生装置。
【請求項２】
該駆動／制御部が、芳香剤を納めた区画の中から選択された一つの区画を一定時間、該ダクトに連通する穴と一致させ、次の一定時間は、芳香剤が入っていない特定の区画を該ダクト連通穴と一致させ、これらの二つの状態を繰り返すように制御する請求項１に記載の芳香装置。
【請求項３】
該円筒容器の一部に開閉自在な扉を設け、この扉を開けて各区画の芳香剤を出し入れするようにした請求項１または２に記載の芳香装置。
【請求項４】
該芳香剤が棒状に形成され、これを、該区画内に保持するため受け金具を有する請求項１、２または３に記載の芳香装置。
【考案の詳細な説明】
【技術分野】
【０００１】
本考案は、居住空間、特に車内に芳香を送り出す芳香発生装置に関する。
【背景技術】
【０００２】
近頃は道路の整備が進み、高速道路を長時間、車を運転することが多くなっており、本人が気づかないうちに疲労がたまったり、眠気がさして注意力が低下していることがある。ドライバーの手を煩わせることなく、車内に香りを簡単に送り出すことができれば、車内空間を快適にし、安全運転に資することができる。
【０００３】
従来、車載用芳香発生装置としていくつかのアイディアが提供されている。特許文献１には、車のインスツルメントパネルに、カセット式タンクを取り付け、その中の香水を電動ポンプで吸い上げて車内に噴出するものが記載されている。このものでは、一回のスイッチ操作で噴出する香りの量を設定できるようになっている。特許文献２には、一つの容器に複数の芳香剤を収納し、その中から芳香剤を選択できる装置が記載されている。特許文献３には、空調ダクトの吹き出し口に芳香剤を取り付けたものが記載されている。
【先行技術文献】
【特許文献】
【０００４】
【特許文献１】実公平６−１３７２３号公報
【特許文献２】特開２００６−８８８１１号公報
【特許文献３】実開平２−９９０１４号公報
【考案の概要】
【考案が解決しようとする課題】
【０００５】
この考案は、構造が簡単で、自動車に容易に取り付けることができる芳香発生装置を提供することを課題とする。芳香はいくつかの中から自由に選択できるようにし、さらに、長時間に渡って香り効果が持続するようにすることも課題とする。
【課題を解決するための手段】
【０００６】
この考案の芳香発生装置は、空調用通風ダクトに取り付けられ、ダクト内部と連通する穴を有する円筒容器と、該円筒容器の中心に軸架された回転軸と、該回転軸から放射状に延び、該容器内を、芳香剤が入るいくつかの区画に分割する複数枚の羽根と、該回転軸を回転するための駆動手段からなる。このように、容器内にいくつかの区画があって、おのおのに違った種類の芳香剤を収納しておくことができるので、回転軸を駆動して、所望の芳香剤を円筒容器の穴に臨む位置に持ってくるようにすれば、空調ダクトを通過する空気に所望の芳香剤が曝され、その香りを含んだ空気が車の中に吹き出てくる。
【０００７】
ある香りを連続的に嗅いでいると、やがて人間の鼻はその香りに慣れっこなってしまって、臭覚が鈍化してしまう傾向がある。そこでこの発明では、選択された一つの区画が一定時間、該ダクト連通穴と一致し、次の一定時間は、芳香剤が入っていない特定の区画が該ダクト連通穴と一致し、これらの二つの状態を繰り返す駆動手段を有している。このようにすれば、香りが断続的に放出されるので、嗅覚が鈍感にならずに、長時間に渡って香りの効果が持続する。
【図面の簡単な説明】
【０００８】
【図１】芳香発生装置の縦断図である。
【図２】香りを発散させている状態の芳香装置の横断面図である。
【図３】香りの発散を休止している状態の芳香装置の縦断面図である。
【考案を実施するための形態】
【０００９】
芳香発生装置は、図１、図２に示すように、芳香剤を収納する円筒状の容器１０と、駆動／制御部２０、およびコントローラ３０からなる。円筒容器は自動車の空調ダクト５０の途中に取り付けられる。駆動／制御部２０は、円筒容器１０の中心に軸架される回転軸１１と結合される。駆動／制御部から延びるコントローラ３０は自動車のインスツルメントパネルに取り付けられる。香りのもととなる芳香剤４０は、ゼオライトなどの多孔質の棒状体に芳香剤を染み込ませたものを用いる。
【００１０】
容器１０とダクト５０の接合面には縦長の穴１２があけてあり、これらの穴を介して容器１０とダクト５０の内部は相互に連通している。容器１０の中心に支持されている回転軸１１には、４枚の羽根１３が放射状に固定され、軸周りに扇形断面の４つの区画１４が形成される。これら４つの区画のうち、３つの区画１４ａ、１４ｂ、１４ｃは、それぞれバネ材でできた受け金具１５備えており、その金具に押し込むようにして棒状の芳香剤４０を保持する。なお、これら３つの扇状区画には、同じ香りのものでなく、香りの異なる芳香剤を収める。他方、残り１つの区画１４ｄは、芳香剤を収納しないので、受け金具１５は設けない。円筒容器１０の上側には、芳香剤４０を出し入れするための扉１６が設けられており、この扉は普段は閉じておく。
【００１１】
この装置の動作を説明すると、コントローラ３０により、容器内に収納してある３種類の芳香剤４０の中から一つを選ぶと、回転軸１１が回動し、選ばれた棒状芳香剤が、穴１２の真上に来て止まる（図２）。その芳香剤４０は、ダクト５０内を流れる空気に曝され、香りを含んだ空気が車内に吹き出る。こうして、香りを一定時間（たとえば、２０ないし４０秒間）出し続けたら、駆動／制御部２０が回転軸１１を駆動させ、今度は空の区画１４ｄが穴１２の上に来て止まる（図３）。この状態では、ダクト内に曝される芳香剤が収納されてないので、香りは生じない。このように香りを出さない状態が一定時間（たとえば、２０ないし４０秒間）続くと、再び、駆動／制御部２０が回転軸１１を駆動し、元の状態（図２）に戻し、香りが生じるようにする。
【００１２】
この装置は、このように二つの状態を交互に繰り返して、香りを断続的に放出するようになっている。このため、ドライバーや同乗者は連続ではなく断続的に香り嗅ぐので、その香りに馴れっこにならず、長い時間香りを楽しむことができる。
【符号の説明】
【００１３】
１０    容器
１１    回転軸
１２    穴
１４    区画
１５    受け金具
１６    扉
２０    駆動／制御部
３０    コントローラ
４０    棒状芳香剤
５０    ダクト
【図１】
0003171925.tif 000003
【図２】
0003171925.tif 000004
【図３】
0003171925.tif 000005